(57)【特許請求の範囲】
【請求項１】
表面側から裏面側に貫通する孔が形成されており地表に敷設されて地表における植物の成長を抑制するシートと、
前記シートの表面側から前記孔に挿通されて地中に設けられる留具胴部と前記シートの表面側に設けられる留具頭部とを有し前記シートを地表に固定する留具と、
を備えた防草構造体において、
前記孔及び前記留具頭部の周囲に水を溜める水溜部と、
前記水溜部に溜めた水に植物の成長を抑制する物質を添加して水溶液を生成する水溶液生成部と、
を備え、前記シートと前記留具との間から地表に前記水溶液を供給して前記留具の周囲における植物の成長を抑制する
ことを特徴とする防草構造体。
【請求項２】
前記シートは防水性である請求項１に記載の防草構造体。
【請求項３】
前記孔は予め前記留具胴部の直径よりも細く形成されており、前記留具胴部が前記シートの表面側から当該孔に挿通されるに応じて孔周縁の前記シートが裏面側に撓り、孔周縁の前記シートと前記留具胴部とが密接する請求項１または２に記載の防草構造体。
【請求項４】
前記水溶液生成部は前記物質を前記留具頭部から前記水溜部に溜めた水に溶出させて添加する請求項１から３のいずれか一項に記載の防草構造体。
【請求項５】
前記水溶液生成部は前記物質を前記シートから前記水溜部に溜めた水に溶出させて添加する請求項１から３のいずれか一項に記載の防草構造体。
【請求項６】
前記植物の成長を抑制する物質は亜鉛又はアルミニウムである請求項１から５のいずれか一項に記載の防草構造体。
【請求項７】
前記水溜部は外周に堤部を有する形状である請求項１から６のいずれか一項に記載の防草構造体。
【請求項８】
前記水溜部は地表側に窪む形状である請求項１から６のいずれか一項に記載の防草構造体。
【請求項９】
前記堤部の高さは前記留具頭部の径以上である請求項７に記載の防草構造体。
【請求項１０】
表面側から裏面側に貫通する孔が形成されており地表に敷設されて地表における植物の成長を抑制するシートと、
前記シートの表面側から前記孔に挿通されて地中に設けられる留具胴部と前記シートの表面側に設けられる留具頭部とを有し前記シートを地表に固定する留具と、
を備えた防草構造体において、
前記孔及び前記留具頭部の周囲に水を溜める水溜部と、
前記留具の表面に形成された亜鉛層と、
を備え、前記留具の周囲における植物の成長を抑制する
ことを特徴とする防草構造体。
【請求項１１】
地表における植物の生長を抑制するようにした防草構造体の施工方法において、
表面側から裏面側に貫通する孔が形成された防草用のシートを地表に敷設し、
植物の生長を抑制する物質を含む留具を用い、留具胴部を前記シートの表面側から前記孔に挿通して地中に設けると共に留具頭部を前記シートの表面側に設けて前記シートを地表に固定し、
前記孔及び前記留具頭部の周囲に水を溜める水溜部を設ける
ことを特徴とする防草構造体の施工方法。
【請求項１２】
表面側から裏面側に貫通する孔が形成されており地表に敷設されて地表における植物の成長を抑制するシートと、
前記シートの表面側から前記孔に挿通されて地中に設けられる留具胴部と前記シートの表面側に設けられる留具頭部とを有し前記シートを地表に固定する留具と、
を備えた防草構造体に用いる防草方法において、
前記孔及び前記留具頭部の周囲に水を溜め、
前記孔の周囲に溜めた水に植物の成長を抑制する物質を添加して水溶液を生成し、
前記シートと前記留具との間から地表に前記水溶液を供給して前記留具の周囲における植物の成長を抑制する
ことを特徴とする防草方法。
【発明の詳細な説明】
【技術分野】
【０００１】
本発明は、地表に敷設した防草用のシートを留具で固定した防草構造体とその施工方法及びこうした防草構造体に用いる防草方法に関し、特に留具の周囲における植物の生長を抑制するものである。
【背景技術】
【０００２】
道路脇の路肩や空き地などの地表を何ら手入れしないと雑草が繁茂する。任意の範囲における植物の生長を抑制する手段としては防草用のシートを用いた防草構造体がある。図１に示す防草構造体１０は、地表１に敷設される防草用のシート２０とこのシート２０を地表に固定するピン状の留具３０とを備える。留具３０の胴部がシート２０の孔に挿通されて地中に設けられると共に留具３０の頭部がシート２０の表面側に設けられて、シート２０は地表に固定される。防草構造体１０はシート２０が敷設された地表の大部分で植物の成長を抑制する。
【０００３】
しかしながら、こうした防草構造体であっても時間の経過と共に留具の周囲に雑草が発生することが確認されている。留具の周囲すなわちシートと留具胴部の間には隙間が形成されており、その隙間の下の地表が地上に露出するため、そこで植物が成長する。こうした植物の成長を抑制する手段としては、シートと留具胴部の間の隙間を地上から遮蔽するワッシャーやシールが公知である。
【０００４】
ワッシャーは例えば下記特許文献１で開示されている。ワッシャーには予め留具胴部の直径に相当する小さな孔が形成される。留具胴部はこの孔に挿通され、次いでシートの孔に挿通されて地中に設けられる。留具頭部はワッシャーの表面側に設けられる。ワッシャーはシートの表面と留具頭部の間に介在し、シートと留具胴部の間の隙間を覆う。その結果、シートと留具胴部の間の隙間は地上から概ね遮蔽される。
【０００５】
シールは裏面に接着材が塗布されており、シートと留具頭部を覆うようにシート表面に貼り付けられる。シールはシートと留具胴部の間の隙間を地上から完全に遮蔽する。
【先行技術文献】
【特許文献】
【０００６】
【特許文献１】特開２００７−２０２５３９号公報
【発明の概要】
【発明が解決しようとする課題】
【０００７】
ワッシャーを用いた場合に、シートと留具胴部の間の隙間下の地表には留具胴部を伝って水が流れ落ち、また僅かながら光が射し込む。雑草はこの程度の水と光で成長する。さらにワッシャー裏面とシート表面は接着されるのではなく単に接触するだけである。このため植物が地表からシートと留具胴部の間の隙間及びワッシャー裏面とシート表面の間を経由して地上に伸びてくる場合がある。つまり植物の出現箇所が留具の周囲からワッシャーの周囲に変わるだけである。以上のようにワッシャーには植物の成長を抑制する効果が低いという問題がある。
【０００８】
シールを用いた場合、シール接着当初は留具周囲に水が供給されたり光が差し込むことはない。したがってシールはワッシャーよりも植物の成長を抑制する効果が高い。しかしながらシールは耐用期間が短いという難点がある。接着剤は時間の経過に伴い劣化し接着力が低下しやすい。接着力が低下すると、シールはシートから剥離する虞がある。シールが剥離した留具周囲には雑草が繁茂する。
【０００９】
本発明はこうした実状に鑑みてなされたものであり、留具の周囲における植物の成長を高水準で抑制するものである。
【課題を解決するための手段】
【００１０】
第１発明は、
表面側から裏面側に貫通する孔が形成されており地表に敷設されて地表における植物の成長を抑制するシートと、
前記シートの表面側から前記孔に挿通されて地中に設けられる留具胴部と前記シートの表面側に設けられる留具頭部とを有し前記シートを地表に固定する留具と、
を備えた防草構造体において、
前記孔及び前記留具頭部の周囲に水を溜める水溜部と、
前記水溜部に溜めた水に植物の成長を抑制する物質を添加して水溶液を生成する水溶液生成部と、
を備え、前記シートと前記留具との間から地表に前記水溶液を供給して前記留具の周囲における植物の成長を抑制する
ことを特徴とする。
【００１１】
第１発明は防草用のシートとシート固定用の留具とを備える防草構造体である。留具胴部がシートの表面側からシートの孔に挿通されて地中に設けられ、留具頭部がシートの表面側に設けられることでシートは地表に固定される。シートの孔及び留具頭部の周囲には水溜部が形成される。シートと留具胴部は互いに僅かに離隔するか或いは接触するが、互いに接着はしていない。このため両者の間には水が浸透する程度の隙間が形成される。
【００１２】
第１発明によれば、水溜部に水が溜まり、その水溜部に溜めた水に例えば留具頭部から植物の成長を抑制する物質が添加されて水溶液が生成される。水溶液はシートと留具胴部の間の隙間から留具の周囲の地表に供給される（漏洩する）。
【００１３】
第２発明は第１発明において、
前記シートは防水性である。
【００１４】
第２発明によれば、シートが防水であることから、シート表面に水が溜まりやすくなることから、水溜部にも水が溜まりやすくなる。
【００１５】
第３発明は第１発明または第２発明のいずれかにおいて、
前記孔は予め前記留具胴部の直径よりも細く形成されており、前記留具胴部が前記シートの表面側から当該孔に挿通されるに応じて孔周縁の前記シートが裏面側に撓り、孔周縁の前記シートと前記留具胴部とが密接する。
【００１６】
第３発明によれば、シートと留具胴部とが密接することから、シートと留具胴部との間の隙間が極めて狭くなり、隙間から地表に漏洩する水溶液の量が少なくなることから、水溜部に水が溜まりやすくなる。
【００１７】
第４発明は第１発明から第３発明のいずれかにおいて、
前記水溶液生成部は前記物質を前記留具頭部から前記水溜部に溜めた水に溶出させて添加する。
【００１８】
第５発明は第１発明から第３発明のいずれかにおいて、
前記水溶液生成部は前記物質を前記シートから前記水溜部に溜めた水に溶出させて添加する。
【００１９】
第６発明は第１発明から第５発明のいずれかにおいて、
前記植物の成長を抑制する物質は亜鉛又はアルミニウムである。
【００２０】
第７発明は第１発明から第６発明のいずれかにおいて、
前記水溜部は外周に堤部を有する形状である。
【００２１】
第８発明は第１発明から第６発明のいずれかにおいて、
前記水溜部は地表側に窪む形状である。
【００２２】
第９発明は第７発明において、
前記堤部の高さは前記留具頭部の径以上である。
【００２３】
第１０発明は、
表面側から裏面側に貫通する孔が形成されており地表に敷設されて地表における植物の成長を抑制するシートと、
前記シートの表面側から前記孔に挿通されて地中に設けられる留具胴部と前記シートの表面側に設けられる留具頭部とを有し前記シートを地表に固定する留具と、
を備えた防草構造体において、
前記孔及び前記留具頭部の周囲に水を溜める水溜部と、
前記留具の表面に形成された亜鉛層と、
を備え、前記留具の周囲における植物の成長を抑制する
ことを特徴とする。
【００２４】
第１１発明は、
地表における植物の生長を抑制するようにした防草構造体の施工方法において、
表面側から裏面側に貫通する孔が形成された防草用のシートを地表に敷設し、
植物の生長を抑制する物質を含む留具を用い、留具胴部を前記シートの表面側から前記孔に挿通して地中に設けると共に留具頭部を前記シートの表面側に設けて前記シートを地表に固定し、
前記孔及び前記留具頭部の周囲に水を溜める水溜部を設ける
ことを特徴とする。
【００２５】
第１２発明は、
表面側から裏面側に貫通する孔が形成されており地表に敷設されて地表における植物の成長を抑制するシートと、
前記シートの表面側から前記孔に挿通されて地中に設けられる留具胴部と前記シートの表面側に設けられる留具頭部とを有し前記シートを地表に固定する留具と、
を備えた防草構造体に用いる防草方法において、
前記孔及び前記留具頭部の周囲に水を溜め、
前記孔の周囲に溜めた水に植物の成長を抑制する物質を添加して水溶液を生成し、
前記シートと前記留具との間から地表に前記水溶液を供給して前記留具の周囲における植物の成長を抑制する
ことを特徴とする。
【発明の効果】
【００２６】
本発明によれば、留具の周囲の地表に植物の生長を抑制する物質が供給され地中に浸透する。すると、その物質が植物の生長を抑制するように作用するため、留具の周囲における植物の生長を高水準で抑制することができる。
【００２７】
また本発明によれば、留具頭部などに亜鉛のような植物の生長を抑制する物質を含有させておき、その周囲に水を溜めるような構造であり、例えばシールの剥離のような時間経過に伴う構造劣化が起こりにくい。したがって植物の生長を抑制する効果を長時間安定して得ることができる。
【００２８】
さらに本発明によれば、防水性のシートを用いたりシートと留具胴部とを密接させることで、少量の降雨などでも留具の周囲に効率的に水を溜めることができる。言い換えると、水を長時間溜めることが可能になる。例えば留具頭部に植物の生長を抑制する物質が含まれていると、留具頭部の浸水時間が長くなることから、水溶液が生成され易くなる。
【図面の簡単な説明】
【００２９】
【図１】図１は地表に防草用のシートを敷設した防草構造体の外観を示す模式図である。
【図２】図２（ａ）はシートの孔に留具が挿通されていない水溜部の平面図であり、図２（ｂ）は図２（ａ）のＡ−Ａ断面図である。
【図３】図３（ａ）はシートの孔に留具が挿通されている水溜部の平面図であり、図３（ｂ）は図３（ａ）のＡ−Ａ断面図である。
【図４】図４は本発明者らが行った植物成長試験の結果を示す図である。
【図５】図５は本発明者らが行った亜鉛溶出試験の結果を示す図である。
【図６】図６（ａ）〜（ｃ）は水溜めから地表への亜鉛の供給までの水の遷移を示す図である。
【発明を実施するための形態】
【００３０】
以下、本発明の実施形態を図面を参照して説明する。
【実施例１】
【００３１】
本発明はシートを固定する留具の周囲に水を溜め、その水に植物の成長を抑制する物質を添加して水溶液を生成し、その水溶液をシートと留具胴部の間の隙間から地表に供給するものである。
【００３２】
［防草構造体の構成］
図２、図３を用いて留具の周囲の構成を中心に、本実施例の防草構造体の構成を説明をする。
【００３３】
図２（ａ）はシートの孔に留具が挿通されていない水溜部の平面図であり、図２（ｂ）は図２（ａ）のＡ−Ａ断面図である。図３（ａ）はシートの孔に留具が挿通されている水溜部の平面図であり、図３（ｂ）は図３（ａ）のＡ−Ａ断面図である。シート２０の表面であって地表１にシート２０を固定する留具３０の周囲には、雨水や露などの水を溜める水溜部４０が形成される。
【００３４】
シート２０は防草用のシート状部材であって、地表１の形状に合わせるために柔軟性を有し、また地表１への光を遮断するために遮光性を有し、またシート表面２２に水を溜めるために防水性を有する。例えばシート２０はゴムで製造される。シート２０にはシート表面２２側からシート裏面２４側に貫通する複数のシート孔２６が形成される。
【００３５】
留具３０はＬ字状に加工された金属製のピン部材であって、下端（先端）が細い留具胴部３２とこの留具胴部３２の上端に連なり留具胴部３２と略９０度の角度をなす留具頭部３４とを有する。留具３０は植物の成長を抑制する物質として亜鉛を含む。留具３０は外周面に亜鉛メッキを施され、亜鉛メッキ層（図示せず）を有する。なお留具頭部３４のみが亜鉛メッキ層を有していてもよい。留具胴部３２はシート孔２６にシート表面２２側から挿通されて地中に設けられ、留具頭部３４はシート表面２２側に設けられる。
【００３６】
留具胴部３２が挿通される前のシート孔２６の直径Ｒは留具胴部３２の直径Ｒbよりも細い。このため図３（ｂ）に示すように、留具胴部３２がシート表面２２側からシート孔２６に挿通されるに応じて、シート孔２６の周縁のシート２０はシート裏面２４側に撓りつつ留具胴部３２に追従する。するとシート２０と留具胴部３２とが密接するので、シート２０と留具胴部３２の間の隙間が極めて狭くなり、その隙間から地表１への水の漏洩量が少なくなる。言い換えると、水溜部４０に水が溜まりやすくなる。
【００３７】
水溜部４０はシート表面２２を底面として有し、またシート孔２６及び留具頭部３４を略中心としてシート表面２２に沿って環状に形成される堤部４２を有する。堤部４２は予めシート表面２２に形成される。堤部４２の高さＨは、留具頭部３４の高さすなわち留具頭部３４の直径Ｒh以上である。なお、可能であれば、堤部４２の根元からシート孔２６に向かって底面が下降するような形状であると、より効率的に水が溜まる。
【００３８】
なお、本発明者らは、シート２０の厚みを１．３ｍｍとし、留具胴部３２の直径Ｒb及び留具頭部３４の直径Ｒhを９ｍｍとし、環状の堤部４２の直径を最大１０ｃｍとし、堤部４２の高さＨを最大２ｃｍとした。勿論、防草構造体１０の各部はこのサイズに限定されるものではない。但し、シート２０が薄すぎると留具胴部３２の挿通の際にシート孔２６周縁のシート２０がシート裏面２４側に上手く撓らないので、シート２０と留具胴部３２とが密接しない。したがって、本実施例のようにシート２０と留具胴部３２とを密接させるのであれば、シート２０にある程度の厚みを持たせる方が良い。
【００３９】
［防草構造体の施工手順］
防草構造体１０の施工手順は以下の通りである。  
地表１にシート２０を敷設する。留具胴部３２をシート表面２２側からシート孔２６に挿通して地中に設けると共に留具頭部２４をシート表面２２側に設けて、シート２０を地表１に固定する。このとき留具頭部３４の外周面がシート表面２２に接触するか近接する程度まで留具胴部３２の先端を地中に差し込む。するとシート孔２６及び留具頭部３４を囲む水溜部４０が形成される。
【００４０】
［植物生長抑制のメカニズム］
次に本実施例の植物の生長を抑制するメカニズムを説明する。
【００４１】
１９７０年代以前は植物の成長に亜鉛は必須元素であると考えられていた。ところが近年は亜鉛の過剰な摂取はむしろ植物の成長を低下させるという報告が有る。本実施例はこの考えを応用したものである。
【００４２】
図４は本発明者らが行った植物成長試験の結果を示す図であり、亜鉛を含有する水溶液を供給した植物と脱塩水を供給した植物の根の長さ（単位：ｃｍ２／２４時間経過）を示している。図４は２０個のサンプルの平均値をそれぞれ示している。この結果からは、３種の亜鉛濃度（１３２ｐｐｂ、１５４ｐｐｂ、１９６ｐｐｂ）の水溶液は脱塩水と比較して根の長さを１／３程度に抑制することが判る。
【００４３】
図４の結果は亜鉛に植物の成長を抑制する効果があるという上記報告を裏付けている。しかしながら本発明者らは別の実証実験によって、亜鉛メッキを施した留具を単に地表に差し込んで水を与えただけでは植物の成長を抑制できないことを確認している。本発明者らはその原因として、与えた水に亜鉛が十分に溶出していない点にあると推測した。そして、植物の生長を抑制する十分な効果を得るためには、亜鉛メッキを施した留具をある程度の時間だけ浸水させて亜鉛を水に十分溶出させる必要があると考察した。
【００４４】
図５は本発明者らが行った亜鉛溶出試験の結果を示す図であり、亜鉛が浸水してからの経過時間と亜鉛（Ｚｎ）の溶出量（単位：ｐｐｂ）と標準偏差（ＳＤ）をそれぞれ示している。図５からは１０分といった短い浸水時間でも亜鉛は水に溶出することが判り、また浸水時間の増加に伴い溶出量も増加することが判る。言い換えると、亜鉛の溶出にはある程度の時間だけ亜鉛を浸水させる必要が有ると言える。つまり留具の周囲に出来るだけ長く水を溜めておくことが亜鉛溶出量を多くすることになり、植物の生長を抑制する効果を大きくすることになる。
【００４５】
こうしたことから、本実施例ではシート２０を防水性にしてシート表面２２側に水が溜まりやすくしている。また、シート孔２６の直径Ｒを留具胴部３２の直径Ｒbよりも細くして、水溜部４０からの水の漏洩量を少なくしている。また、（堤部４２の高さＨ）≧（留具頭部３４の直径Ｒh）となるようにして、留具頭部３４の外周全面を水溜部４０に溜めた水に浸水可能とし、水と亜鉛との接触面積を大きくして水に多くの亜鉛が溶出しやすくなるようにしている。
【００４６】
図６（ａ）〜（ｃ）は水溜めから地表への亜鉛の供給までの水の遷移を示す図である。図６（ａ）に示すように、例えば降雨によって水溜部４０に水Ｗが溜まると、留具頭部３４は浸水する。図６（ｂ）に示すように、留具頭部３４が浸水すると、留具頭部３４に形成される亜鉛メッキ層から水Ｗに亜鉛Ｚｎが溶出して添加される。すると亜鉛Ｚｎを含む水溶液Ｗ′が生成される。図６（ｃ）に示すように、水溜部４０で生成された水溶液Ｗ′はシート孔２６すなわち互いに密接するシート２０と留具胴部３２の間の隙間から地表１に徐々に漏洩して地中に浸透する。こうして水溜部４０から留具３０の周囲の地表１に亜鉛を含む水溶液Ｗ′が供給され、水溶液Ｗ′が地中に浸透する。亜鉛の溶出量にもよるが、水溶液Ｗ′の供給によって留具３０の周囲の地表１に亜鉛が供給されることとなり、植物の生長が抑制される。
【００４７】
［他の実施形態］
以下で実施例１の別の実施形態をまとめて説明する。  
シート２０はゴムでなくてもよい。例えば柔軟性、遮光性及びある程度の防水性を有するのであれば他の部材、例えば合成樹脂や繊維状の部材であってもよい。またゴムよりは防水性及びその耐久性が劣るものの、シート表面２２に防水加工が施された部材でも実施は可能である。
【００４８】
シート孔２６の直径Ｒは留具胴部３２の直径Ｒbと同等又は若干大きくてもよい。この場合、シート２０と留具胴部３２との間の隙間が広くなり、水を溜める効率は悪くなるものの、雨水の量次第である程度の水溜効果は期待できる。
【００４９】
留具３０はＬ字状のピン部材でなくてもよい。例えば２本の留具胴部とこれらの留具胴部の上端に連なる１本の留具頭部とを有するＵ字状のピン部材でもよい。また、留具頭部が円板状又は円柱状のピン部材でもよい。また、楔のように留具上端から下端（先端）に向かうテーパを呈するピン部材でもよい。
【００５０】
留具３０は金属製でなくてもよい。ある程度の剛性を有する部材、例えば硬質の合成樹脂でもよい。
【００５１】
亜鉛はメッキで設けられなくてもよい。亜鉛は水に溶出できる形態で留具３０に含まれていればよく、例えば留具３０の表面に蒸着で設けられてもよい。
【００５２】
亜鉛は留具３０に含有されるのではなく、水溜部４０内の他の部材、例えばシート表面２２や堤部４２に含有されてもよい。
【００５３】
水溜部４０は堤部４２を有さなくてもよい。例えば水溜部４０は地表１側に窪む形状でもよい。窪み形状の水溜部４０は予めシート２０に堤部４２を必要としないため、シート２０の製造が容易になる反面、地表１を窪ませる必要があるため、施工に手間がかかる。
【００５４】
水溜部４０は予めシート表面２２に形成されてなくてもよい。例えば堤部を有する水溜部材がシート表面２２と留具頭部３４との間に介在するようにしてもよい。
【００５５】
なお実施例１では水溜部４０に水を供給する手段として降雨を利用するようにしているが、高架下などのように降雨を期待できないような範囲に防草構造体１０を設ける場合は、人為的に水を供給すればよい。例えば作業員が撒水してもよく、また水溜部４０の近辺に散水装置を配置して撒水するようにしてもよい。撒水する場合はその水に予め亜鉛を添加してもよい。
【００５６】
また、上記各実施形態を適宜組み合わせてもよい。
【実施例２】
【００５７】
実施例２は植物の生長を抑制する物質としてアルミニウムを使用する。防草構造体の構成や施工手順は実施例１と概ね同じである一方で、亜鉛とアルミニウムとは植物の生長を抑制するメカニズムが若干相違する。以下では実施例１と相違する部分のみを説明する。
【００５８】
亜鉛の場合は過剰摂取によって植物の生長を抑制する効果が得られるが、アルミニウムの場合は水に溶けたアルミニウムイオン（Ａｌ３＋）自体に植物の生長を抑制する効果が有る。このため水にマイクロモルレベルの僅かなアルミニウムイオンが含有されていればよく、アルミニウムイオンの過剰な溶出量は必要無い。
【００５９】
水へのアルミニウムの添加方法としては、実施例１と同様に留具の表面にアルミニウム層を形成し、そこから水に溶出するようにしてもよい。しかし、亜鉛と違いアルミニウムは固体自体が剛性を有するので、留具自体をアルミニウムで製造し、その表面からアルミニウムが溶出するようにしてもよい。留具の表面にアルミニウム層を形成するよりも留具自体をアルミニウムで製造する方がトータルの製造工程が少なく済む。また、実施例１と同様に、アルミニウムが留具に含まれるのではなく、シートに含まれていてもよい。
【実施例３】
【００６０】
以下の条件を満たす物質であれば、そうした物質を実施例１の亜鉛や実施例２のアルミニウムと同様に使用することができる。
【００６１】
・植物の生長を抑制する効果を有する。
【００６２】
・水に溶出する。
【００６３】
・環境基準をクリアできる。
【００６４】
こうした物質を用いて留具を製造したり、留具の表面に塗布したりすればよい。
【符号の説明】
【００６５】
１  …地表、
１０…防草構造体、
２０…シート、
２２…シート表面、
２４…シート裏面、
２６…シート孔、
３０…留具、
３２…留具胴部、
３４…留具頭部、
４０…水溜部、
４２…堤部。
【図１】
0005713393.tif 000002
【図２】
0005713393.tif 000003
【図３】
0005713393.tif 000004
【図４】
0005713393.tif 000005
【図５】
0005713393.tif 000006
【図６】
0005713393.tif 000007